(57)【要約】      （修正有）【課題】電源の評価を柔軟に行うことができる計測システム等を提供する。【解決手段】計測システムは、太陽電池等の電源３に接続される入力端子と、該入力端子に入力された前記電源３の端子電圧を計測する第１計測部と、前記入力端子を介して前記電源３から電力の供給を受ける負荷と、該負荷における降下電圧を計測する第２計測部と、前記第１計測部及び第２計測部が計測した前記端子電圧及び降下電圧に基づき、前記電源３の特性値を特定する特定部と、特定した前記特性値をネットワークＮを介して送信する送信部とを有する計測装置１と、前記特性値を前記ネットワークＮを介して取得する取得部と、取得した前記特性値に対応する電圧を機器４（第２負荷）に出力する出力部とを有する電圧出力装置２とを備える。【選択図】図１
2018147325.tif 000002
【特許請求の範囲】
【請求項１】
電源から供給される電力に係る電気量を計測する計測装置と、該計測装置で計測されたデータを用いて電圧を出力する電圧出力装置とを有する計測システムであって、
前記計測装置は、
前記電源に接続される入力端子と、
該入力端子に入力された前記電源の端子電圧を計測する第１計測部と、
前記入力端子を介して前記電源から電力の供給を受ける負荷と、
該負荷における降下電圧を計測する第２計測部と、
前記第１計測部及び第２計測部が計測した前記端子電圧及び降下電圧に基づき、前記電源の特性値を特定する特定部と、
特定した前記特性値を送信する送信部と
を備え、
前記電圧出力装置は、
前記特性値を取得する取得部と、
取得した前記特性値に対応する電圧を第２負荷に出力する出力部と
を備える計測システム。
【請求項２】
前記電源は、太陽電池又は燃料電池であり、
前記計測装置は、前記負荷に通流する負荷電流を制御する電流制御部を備え、
前記入力端子に前記太陽電池が接続されている場合、前記電流制御部は、前記負荷電流を制御することで、前記太陽電池の最大出力点を追従する追従制御を行い、
前記特定部は、前記最大出力点における前記端子電圧及び降下電圧に基づき、前記特性値を算出し、
前記入力端子に前記燃料電池が接続されている場合、前記電流制御部は、前記負荷電流を前記燃料電池の最大許容電流に設定し、
前記特定部は、前記負荷電流が前記最大許容電流である場合の前記端子電圧及び降下電圧に基づき、前記特性値を算出する
請求項１に記載の計測システム。
【請求項３】
前記計測装置は、前記電源の発電条件に係る条件値を計測する条件計測部を備え、
前記送信部は、前記端子電圧及び降下電圧の計測時における前記条件値を、該計測時の前記端子電圧及び降下電圧から特定された前記特性値と共に送信する
請求項２に記載の計測システム。
【請求項４】
前記取得部は、前記特性値及び条件値を順次取得し、
前記出力部は、前記条件値に応じた順序で前記特性値を参照し、前記第２負荷に電圧を順次出力する
請求項３に記載の計測システム。
【請求項５】
前記特性値は、前記電源の開放電圧及び内部抵抗である
請求項１〜請求項４のいずれか１項に記載の計測システム。
【請求項６】
前記電圧出力装置は、
前記第２負荷に通流する第２負荷電流を検知する検知部と、
該検知部が検知した前記第２負荷電流と、前記取得部が取得した前記内部抵抗との乗算値を算出する算出部と
を備え、
前記出力部は、前記開放電圧から前記乗算値を減算した電圧を前記第２負荷に出力する
請求項５に記載の計測システム。
【請求項７】
前記電圧出力装置は、前記出力部と前記第２負荷との間にローパスフィルタを備える
請求項６に記載の計測システム。
【請求項８】
前記送信部は、複数の前記電圧出力装置に対して前記特性値を送信する
請求項１〜請求項７のいずれか１項に記載の計測システム。
【請求項９】
前記取得部は、複数の前記計測装置から前記特性値を取得する
請求項１〜請求項８のいずれか１項に記載の計測システム。
【請求項１０】
前記送信部から送信される前記特性値をデータベースに記憶する記憶装置を備え、
前記取得部は、前記記憶装置から前記特性値を取得する
請求項１〜請求項９のいずれか１項に記載の計測システム。
【請求項１１】
電源が接続される入力端子、及び該入力端子を介して前記電源から電力の供給を受ける負荷を備え、前記電源から前記負荷に供給される電力に係る電気量を計測する計測装置と、該計測装置で計測されたデータを用いて電圧を出力する電圧出力装置とを用いた計測方法であって、
前記計測装置は、
前記入力端子に入力された前記電源の端子電圧を計測し、
前記負荷における降下電圧を計測し、
計測した前記端子電圧及び降下電圧に基づき、前記電源の特性値を特定し、
特定した前記特性値を送信し、
前記電圧出力装置は、
前記特性値を取得し、
取得した前記特性値に対応する電圧を第２負荷に出力する
計測方法。
【請求項１２】
電源に接続される入力端子と、
該入力端子に入力された前記電源の端子電圧を計測する第１計測部と、
前記入力端子を介して前記電源から電力の供給を受ける負荷と、
該負荷における降下電圧を計測する第２計測部と、
前記負荷に通流する負荷電流を制御する電流制御部と、
前記第１計測部及び第２計測部が計測した前記端子電圧及び降下電圧に基づき、前記電源の特性値を特定する特定部と、
特定した前記特性値を送信する送信部と
を備え、
前記電流制御部は、前記入力端子に接続された前記電源の種類に応じて前記負荷電流を制御する
計測装置。
【請求項１３】
電源が接続される入力端子、及び該入力端子を介して前記電源から電力の供給を受ける負荷を備え、前記電源から前記負荷に供給される電力に係る電気量を計測する計測装置に、
前記電源の端子電圧を計測し、
前記負荷における降下電圧を計測し、
計測した前記端子電圧及び降下電圧に基づき、前記電源の特性値を特定し、
特定した前記特性値を送信部により送信する
処理を実行させる計測方法であって、
前記入力端子に接続された前記電源の種類に応じて、前記負荷に通流する負荷電流を制御する
計測方法。
【請求項１４】
電源が接続される入力端子、及び該入力端子を介して前記電源から電力の供給を受ける負荷を備え、前記電源から前記負荷に供給される電力に係る電気量を計測する計測装置に、
前記電源の端子電圧を計測し、
前記負荷における降下電圧を計測し、
計測した前記端子電圧及び降下電圧に基づき、前記電源の特性値を特定し、
特定した前記特性値を送信部により送信する
処理を実行させるプログラムであって、
前記入力端子に接続された前記電源の種類に応じて、前記負荷に通流する負荷電流を制御する
プログラム。
【請求項１５】
電源の端子電圧を計測する第１計測部、前記電源から電力の供給を受ける負荷における降下電圧を計測する第２計測部、前記端子電圧及び降下電圧に基づいて前記電源の特性値を特定する特定部、及び前記端子電圧及び降下電圧の計測時における前記電源の発電条件に係る条件値を計測する条件計測部を備えた計測装置と、前記特性値に対応する電圧を第２負荷に出力する電圧出力装置と通信を行うコンピュータに、
各計測時における前記特性値及び前記条件値を前記計測装置から順次取得し、
取得した各計測時の前記特性値及び条件値を対応付けてデータベースに記憶し、
前記データベースに記憶した前記特性値を、対応する前記条件値に応じた順序で前記電圧出力装置に送信する
処理を実行させることを特徴とするプログラム。
【発明の詳細な説明】
【技術分野】
【０００１】
本発明は、計測システム、計測方法、計測装置及びプログラムに関する。
【背景技術】
【０００２】
太陽電池、燃料電池等のような発電装置の特性を評価する様々な手法が提案されている。例えば特許文献１では、太陽電池の最大出力点を追跡する最大出力追跡装置であって、日照強度等の環境因子に応じて、最大出力点を追跡する際の負荷抵抗値を調整する装置が開示されている。
【先行技術文献】
【特許文献】
【０００３】
【特許文献１】特開２０１６−９１４１３号公報
【発明の概要】
【発明が解決しようとする課題】
【０００４】
しかしながら、特許文献１では、電源と負荷とが給電線で直接接続されていたため、例えば電源に接続される負荷の数を変更した場合等、システム構成が変わった場合に柔軟に対応して電源の評価を行うことが困難である。
【０００５】
一つの側面では、電源の評価を柔軟に行うことができる計測システム等を提供することにある。
【課題を解決するための手段】
【０００６】
一つの案では、計測システムは、電源から供給される電力に係る電気量を計測する計測装置と、該計測装置で計測されたデータを用いて電圧を出力する電圧出力装置とを有する計測システムであって、前記計測装置は、前記電源に接続される入力端子と、該入力端子に入力された前記電源の端子電圧を計測する第１計測部と、前記入力端子を介して前記電源から電力の供給を受ける負荷と、該負荷における降下電圧を計測する第２計測部と、前記第１計測部及び第２計測部が計測した前記端子電圧及び降下電圧に基づき、前記電源の特性値を特定する特定部と、特定した前記特性値を送信する送信部とを備え、前記電圧出力装置は、前記特性値を取得する取得部と、取得した前記特性値に対応する電圧を第２負荷に出力する出力部とを備える。
【発明の効果】
【０００７】
一つの側面では、電源の評価を柔軟に行うことができる
【図面の簡単な説明】
【０００８】
【図１】計測システムの構成例を示す模式図である。
【図２】計測装置の構成例を示す模式図である。
【図３】山登り法について説明するための説明図である。
【図４】燃料電池の特性値に係る特定処理について説明するための説明図である。
【図５】計測装置から電圧出力装置へのデータ送信処理の概要を説明する説明図である。
【図６】電圧出力装置の構成例を示す模式図である。
【図７】太陽電池に係る計測処理の処理手順の一例を示すフローチャートである。
【図８】燃料電池に係る計測処理の処理手順の一例を示すフローチャートである。
【図９】電圧出力装置が行う電力再現処理の処理手順の一例を示すフローチャートである。
【図１０】実施の形態２に係る計測システムの構成例を示す模式図である。
【図１１】実施の形態３に係る計測システムの構成例を示す模式図である。
【図１２】端末の構成例を示すブロック図である。
【図１３】計測ＤＢのレコードレイアウトの一例を示す説明図である。
【図１４】端末が実行する処理手順の一例を示すフローチャートである。
【図１５】上述した形態の計測装置及び電圧出力装置の動作を示す機能ブロック図である。
【図１６】計測装置のハードウェア群を示す模式図である。
【発明を実施するための形態】
【０００９】
以下、本発明をその実施の形態を示す図面に基づいて詳述する。
（実施の形態１）
図１は、計測システムの構成例を示す模式図である。本実施の形態では、電源３と、当該電源３から電力の供給を受けることが想定される機器４とが遠隔地にある環境下であっても、電源３から機器４への電力供給に関して評価実験を行うことが可能な計測システムを一例にして説明を行う。計測システムは、計測装置１、電圧出力装置２、電源３、機器４を含む。計測装置１及び電源３は、所定の発電拠点Ｘに設置されている。電圧出力装置２及び機器４は、発電拠点Ｘとは異なる所定の評価拠点Ｙに設置されている。計測装置１及び電圧出力装置２は、インターネット等のネットワークＮを介して通信を行う。
【００１０】
電源３は、本実施の形態に係る計測システムの評価対象である電源であり、電源特性が逐次変化する電源である。具体的に電源３は、太陽電池、燃料電池等の発電機であり、内部抵抗、開放電圧等に係る特性値が発電条件に応じて変化する電源である。本実施の形態において電源３は、発電拠点Ｘに設置されている太陽電池又は燃料電池であるものとする。太陽電池、燃料電池等の発電機は、一次電池、二次電池等の電源とは異なり、日照時間、太陽光の照度、蓄電残量等の発電条件に応じて内部抵抗、開放電圧等の特性値が変化する。本実施の形態において計測装置１は、発電条件に応じて逐次変化する太陽電池又は燃料電池について計測を行う。
【００１１】
計測装置１は、電源３が供給する電力に係る電気量を計測する装置である。具体的に計測装置１は、計測を行うための測定回路、当該測定回路を制御するための制御基板（後述する制御部１１）等を搭載した小型機器であり、電源３に接続されている。計測装置１は、電源３から出力される電圧を計測し、計測結果から、電源３に固有の特性値（内部抵抗及び開放電圧）を特定する。計測装置１は、特定した特性値を、ネットワークＮを介して、評価拠点Ｙに設置されている電圧出力装置２に通知する。
【００１２】
電圧出力装置２は、評価実験の対象である機器４（第２負荷）に電力を供給する電源装置であり、電源３の供給電力を再現して出力する装置である。後述するように、電圧出力装置２は計測装置１から取得する電源３の特性値に基づき、電源３が出力する電圧を仮想電圧として再現し、機器４に出力する。図１に示すように、機器４と電源３とは給電線で接続されておらず、電圧出力装置２が電源３の出力電圧を再現して機器４に供給する。これにより、電源３と機器４とが離隔配置された環境下であっても電源３の評価実験を行うことができる。
【００１３】
図１に示すシステムとは異なり、一般的に電源３と機器４とは給電線により直接的に接続され、電源３と機器４との間に種々の計測装置が接続される。しかしながら、電源３と機器４とが直接接続されている場合、システムの変更に柔軟に対応することが難しかった。例えば機器４に電力を供給する電源３が太陽電池から燃料電池に切り替わった場合、電源３の種類に応じて測定回路を組み直す必要がある。また、例えば新たな機器４がシステムに接続された場合、発電効率が変化するため、計測を再度行う必要がある。
【００１４】
しかしながら、後述するように、本実施の形態では計測装置１が個々の電源２の特性値を測定し、電圧出力装置２が測定データを元に電源３の供給電力を再現する。これにより、システムの変更等にも柔軟に対応して電源３に係る評価を行うことができる。
【００１５】
図２は、計測装置１の構成例を示す模式図である。計測装置１は、負荷Ｒ、オペアンプ１４等を含む測定回路、当該測定回路の動作を制御する制御部１１、制御部１１が処理を行うために必要なプログラムＰ１及びデータを記憶するＲＡＭ（Random Access Memory）１６、制御部１１に接続された通信部（送信部）１７及び条件計測部１８を備える。
制御部１１は、測定回路の動作を制御する制御基板であり、例えばＡｒｄｕｉｎｏ（登録商標）等のコントローラである。制御部１１は、ＭＣＵ（Micro-Control Unit）のほか、情報の入出力を行う入出力ポート（不図示）等を備え、測定回路に係る制御を行う。
【００１６】
通信部１７は、所定規格で通信を行う通信モジュールであり、制御部１１の入出力ポートに接続されている。通信部１７は、測定回路で計測され、制御部１１から出力された情報を電圧出力装置２に送信する。
【００１７】
条件計測部１８は、電源３の発電条件に係る条件値を計測するための各種センサである。発電条件は、例えば日照時間、照度、電池の蓄電残量、温度、湿度等である。本実施の形態において条件計測部１８は照度センサであり、計測時の日照時間を計測するものとして説明を行う。条件計測部１８は制御部１１に計測値を入力する。
【００１８】
計測装置１に係る測定回路は、入力端子１３、負荷Ｒ、オペアンプ１４、スイッチＳＷ等を含む。入力端子１３は、電源３を回路に接続するための端子である。負荷Ｒは、電源３と直列に接続される抵抗素子である。スイッチＳＷは、充放電に係るオン、オフを切り替えるスイッチング素子である。オペアンプ１４は演算増幅器であり、マイナス端子が電源３のプラス端子と負荷Ｒとの間の電位点に、プラス端子がスイッチＳＷに、出力端子が負荷Ｒに接続されている。本実施の形態ではオペアンプ１４を、負荷Ｒに通流する負荷電流Ｉを制限するための電子モジュールとして利用する。
【００１９】
また、制御部１１の入出力ポートには、ＡＤＣ１２１、１２２、１２３が接続されている。ＡＤＣ１２１、１２２、１２３はアナログ／デジタルコンバータであり、測定回路の各電位点における電位のアナログ値をデジタル値に変換して制御部１１に入力する。具体的には、ＡＤＣ１２１は電源３のマイナス端子側の電位点に接続され、ＡＤＣ１２２は電源３のプラス端子側の電位点に接続され、ＡＤＣ１２３はオペアンプ１４の出力端子側の電位点に接続されており、各コンバータは各電位点の電位値を制御部１１に入力する。なお、以下の説明では便宜上、ＡＤＣ１２１が接続された電位点の電位をＶ１と、ＡＤＣ１２２が接続された電位点の電位をＶ２と、ＡＤＣ１２３が接続された電位点の電位をＶ３と記す。
【００２０】
また、制御部１１の入力ポートには、ＤＡＣ（デジタル／アナログコンバータ）を介して電流リミッタ１５が接続されており、電流リミッタ１５はオペアンプ１４に接続されている。電流リミッタ１５は、制御部１１からの指令に従って信号をオペアンプ１４に入力し、負荷Ｒに通流する負荷電流Ｉを制限するようにオペアンプ１４を動作させる。例えば電流リミッタ１５は、制御部１１からの指令に従ってオペアンプ１４にゲイン値を入力し、当該ゲイン値で差動出力を行うように動作させる。
なお、図２の回路図において入力部１３とスイッチＳＷとの間に接続された電源は、回路の動作を安定させるための定電圧源である。
【００２１】
上記の測定回路において、電源３が入力端子１３に接続される。具体的には、電源３として、太陽電池及び燃料電池のいずれかが接続される。本実施の形態において計測装置１は、入力端子１３に太陽電池及び燃料電池のいずれかが接続されたかに応じて回路動作を切り替え、各電池の内部抵抗及び開放電圧を計測する。具体的には、計測装置１は入力端子１３に接続された電源３の種類に応じて、負荷Ｒに通流する負荷電流Ｉを制御し、内部抵抗及び開放電圧の計測を行う。
【００２２】
まず、太陽電池の内部抵抗及び開放電圧を計測する場合について説明する。この場合、計測装置１は負荷電流Ｉを制御して太陽電池（電源３）の発電電力Ｐを調整し、後述する山登り法（ＭＰＰＴ：Maximum Power Point Tracking）を用いて電力Ｐの最大値を求める。そして計測装置１は、消費電力が最大となる場合における電源３の端子電圧、及び負荷Ｒの降下電圧から内部抵抗を求める。
【００２３】
ここで説明の便宜上、電源３の内部抵抗をＲｉ、開放電圧をＶｏとして表すことにする。また、簡単のため、負荷Ｒの抵抗値Ｒが１Ωであるものとして説明する。まず計測装置１は、スイッチＳＷをオフ状態、すなわち充電状態に設定しておく。そして計測装置１は、スイッチＳＷをオンに切り替え、放電を開始する。計測装置１は、放電開始時の電源３の端子電圧Ｖ２−Ｖ１を計測することで、電源３の開放電圧Ｖｏを計測する。
【００２４】
次に計測装置１は、電流リミッタ１５によりオペアンプ１４の電流制限量を調整し、負荷電流Ｉを制御する。ここで、負荷電流Ｉはオームの法則より式（１）で表すことができる。
Ｉ＝（Ｖ２−Ｖ３）／Ｒ＝Ｖ２−Ｖ３  …  （１）
【００２５】
すなわち計測装置１は、負荷Ｒにおける降下電圧Ｖ２−Ｖ３を計測することで負荷電流Ｉを計測することができる。計測装置１は降下電圧Ｖ２−Ｖ３を監視し、負荷電流Ｉを制御する。
【００２６】
ここで、電源３が発電する電力Ｐについて考えると、電力Ｐは電源３の端子電圧Ｖ２−Ｖ１と負荷電流Ｉとを用いて、次の式（２）で表すことができる。
Ｐ＝（Ｖ２−Ｖ１）（Ｖ２−Ｖ３）  …  （２）
【００２７】
このように、計測装置１は、端子電圧Ｖ２−Ｖ１及び降下電圧Ｖ２−Ｖ３に基づき、電力Ｐを算出することができる。計測装置１は、算出した電力Ｐから電源３の内部抵抗Ｒｉを特定する。
【００２８】
図３は、山登り法について説明するための説明図である。図３では、太陽電池のＩ−Ｖ曲線及びＩ−Ｐ曲線を示すグラフを模式的に図示してある。なお、点線がＩ−Ｖ曲線を、実線がＩ−Ｐ曲線を示す。また、グラフの横軸が負荷電流Ｉを、縦軸が電圧Ｖ（端子電圧Ｖ２−Ｖ１）及び電力Ｐを示す。図３に基づき、山登り法について説明する。
【００２９】
計測装置１は、式（２）で導出される電力Ｐを、負荷電流Ｉを制御することで変化させる。例えば計測装置１は、まず負荷電流Ｉを所定の電流値Ｉｏに設定し、電源３から負荷Ｒへ通流させる。計測装置１は、Ｉ＝Ｉｏの場合の各電位Ｖ１〜Ｖ３を計測し、電力Ｐを求める。計測装置１は、計算した電力Ｐを保持しておく。
【００３０】
次に計測装置１は、負荷電流Ｉを、所定単位のΔＩを加算したＩｏ＋ΔＩに設定する。計測装置１は上記と同様に、Ｉ＝Ｉｏ＋ΔＩの場合の電力Ｐを計算する。そして計測装置１は、計算した新たな電力Ｐを、保持しておいた電力Ｐと比較し、どちらが大きいかを判定する。Ｉ＝Ｉｏ＋ΔＩの場合の電力Ｐの方がＩ＝Ｉｏの場合の電力Ｐよりも大きい場合、計測装置１は、負荷電流Ｉに再度ΔＩを加算して再設定し、電力Ｐを計算する。そして計測装置１は、負荷電流Ｉが変化した前後の電力Ｐの大小を比較する。
【００３１】
最新の電力Ｐが前回の電力Ｐよりも小さくなった場合、計測装置１は、前回の電力Ｐが最大値であると判定する。すなわち計測装置１は、図３に示すＩ−Ｐ曲線の極大値を発見したものと判定する。このようにして計測装置１は、電力Ｐの最大値、すなわち電源３の最大出力点を追従する最大出力点追従制御（ＭＰＰＴ制御）を行う。
【００３２】
一般的に山登り法を用いて太陽電池の最大出力点を探す場合、太陽電池に接続された負荷（本実施の形態の負荷Ｒに相当）を可変抵抗とし、抵抗値を制御することで電圧Ｖを変化させ、電力Ｐの最大出力点を求める。しかし、本実施の形態に係る計測装置１は、負荷電流Ｉを制限するオペアンプ１４を用いて、負荷電流Ｉをデジタル制御することで最大出力点を求める。従って、可変抵抗の抵抗値をアナログ制御する場合よりも測定誤差が小さく、かつ、回路構成を簡素化することができる。
【００３３】
計測装置１は、電力Ｐが最大となる場合の負荷電流Ｉと、開放電圧Ｖｏとに基づき、電源３の内部抵抗Ｒｉを算出する。ここで、電力Ｐが最大となる場合の負荷電流をＩｍとした場合、負荷Ｒと電源３とが直列接続されているため、式（３）が成り立つ。
Ｉｍ＝Ｖｏ／（Ｒｉ＋Ｒ）  …  （３）
【００３４】
本実施の形態では、太陽電池の発電効率が最大となる場合、内部抵抗Ｒｉで消費される電力と、負荷抵抗Ｒで消費される電力とが等しくなり、内部抵抗Ｒｉと負荷抵抗Ｒとが等価になる性質を利用し、内部抵抗Ｒｉを算出する。すなわち、最大出力点においてＲｉ＝Ｒが成立する。従って、式（３）は次の式（４）で表すことができる。
Ｒｉ＝Ｖｏ／２Ｉｍ  …  （４）
【００３５】
上述の如く、計測装置１は負荷電流Ｉの制御を行って電力Ｐの最大出力点を求め、最大出力点における負荷電流Ｉｍ、及び開放電圧Ｖｏから、内部抵抗Ｒｉを算出する。以上より、太陽電池の開放電圧Ｖｏ及び内部抵抗Ｒｉを特定することができる。
【００３６】
図４は、燃料電池の特性値に係る特定処理について説明するための説明図である。図４では、燃料電池のＩ−Ｖ特性を模式的に示す。なお、横軸が負荷電流Ｉを、縦軸が電圧Ｖ（端子電圧Ｖ２−Ｖ１）を示す。
太陽電池の場合と同じく、計測装置１はまず、スイッチＳＷをオフ状態（充電状態）に設定しておき、所定のタイミングでスイッチＳＷをオンに切り替え、放電を開始する。計測装置１は、放電開始時の端子電圧Ｖ２−Ｖ１を計測することで、開放電圧Ｖｏを計測する。
【００３７】
次に計測装置１は、負荷電流Ｉを、電源３（燃料電池）の最大許容電流Ｉａに設定する。一般的に知られているように、燃料電池には最大許容電流Ｉａが定まっており、負荷電流ＩがＩａに向かって大きくなるに従って、内部抵抗Ｒｉの影響で徐々に内部電圧降下を起こす。そこで計測装置１は、最大許容電流Ｉａまで負荷電流Ｉを引き上げ、放電開始時の端子電圧Ｖ２−Ｖ１と、最大許容電流Ｉａを通流させた場合の端子電圧Ｖ２−Ｖ１との差分、すなわち図４に示す内部降下電圧を求める。
【００３８】
具体的には、放電開始時に端子電圧Ｖ２−Ｖ１は開放電圧Ｖｏを取る。また、負荷電流Ｉ（最大許容電流Ｉａ）は式（１）で表すことができる。従って、内部抵抗Ｒｉは式（５）で表すことができる。
Ｒｉ＝｛Ｖｏ−（Ｖ２−Ｖ１）｝／（Ｖ２−Ｖ３）  …  （５）
【００３９】
なお、式（５）の電位Ｖ１〜Ｖ３は、最大許容電流Ｉａまで負荷電流Ｉを引き上げた場合に計測された電位である。
上述の如く、計測装置１は負荷電流Ｉを最大許容電流Ｉａに設定し、開放電圧Ｖｏ、端子電圧Ｖ２−Ｖ１、及び負荷Ｒの降下電圧Ｖ２−Ｖ３を用いて、式（５）より内部抵抗Ｒｉを算出する。
【００４０】
図５は、計測装置１から電圧出力装置２へのデータ送信処理の概要を説明する説明図である。図５では、計測装置１及び電圧出力装置２の間のデータの送受信の様子を概念的に示している。
計測装置１は、上述の如く、電源３の開放電圧Ｖｏ及び内部抵抗Ｒｉを計測する。例えば計測装置１は、所定の時間間隔（例えば１日毎）に計測を行う。計測装置１は、計測したデータをリアルタイムで電圧出力装置２に送信する。なお、計測装置１は常時計測を行い、計測データを随時転送してもよい。さらに計測装置１は、電源３の発電条件に係る条件値を計測し、併せて電圧出力装置２に送信する。
【００４１】
上述の如く発電条件は日照時間等のデータであり、計測装置１の条件計測部１８が計測を行う。計測装置１は、条件計測部１８で計測された条件値（日照時間）に係るデータを、開放電圧Ｖｏ及び内部抵抗Ｒｉに係る計測データと共に送信する。例えば計測装置１は、開放電圧Ｖｏ及び内部抵抗Ｒｉを計測した時点から遡って、過去２４時間の日照時間のデータを送信する。後述するように、電圧出力装置２は計測装置１から順次送信される計測データを取得し、一時的に記憶しておく。電圧出力装置２は、当該計測データを用いて電源３の出力電圧の再現を行う。
【００４２】
図６は、電圧出力装置２の構成例を示す模式図である。電圧出力装置２は、電圧の出力を行う電気回路のほかに、電気回路の制御を行う制御基板である制御部２１、制御部２１が処理を行うために必要なプログラムＰ２及びデータを記憶するＲＡＭ３２、所定の通信モジュールである通信部３１のほかに、電源３の出力電圧を再現した仮想電圧を機器４に出力する電気回路を含む。なお、図６の電気回路において、機器４を第２負荷Ｚとして表してある。
【００４３】
電圧出力装置２に係る電気回路は、開放電圧出力部２２、降下電圧出力部２３、ＤＡＣ２４、オペアンプ２５、電流計（検知部）２６、ＡＤＣ２７、乗算器２８、ＬＰＦ２９、出力端子３０を有する。開放電圧出力部２２及び降下電圧出力部２３は夫々、制御部２１及び乗算器２８からの入力値に応じた電圧を出力する電源である。図６に示すように、開放電圧出力部２２及び内部降下電圧２３は直列に接続されており、互いに電極の極性が逆になるように接続されている。後述するように、開放電圧出力部２２及び内部降下電圧２３が、電源３の出力電圧を再現した仮想電圧を出力する。
【００４４】
ＤＡＣ２４は、開放電圧出力部２２及び内部降下電圧２３から出力される仮想電圧をデジタル値からアナログ値に変換するコンバータである。オペアンプ２５は、図６に示すようにプラス端子がＤＡＣ２４に、マイナス端子が出力端子に接続されており、フィードバック演算により仮想電圧を増幅する。電流計２６は、開放電圧出力部２２及び降下電圧出力部２３から出力される仮想電圧によって第２負荷Ｚに流れる負荷電流Ｉｚ（第２負荷電流）を計測する。
【００４５】
また、電流計２６がＡＤＣ２７を介して乗算器２８に接続されている。乗算器２８は、図６に示すように制御部２１にも接続されており、制御部２１から入力される内部抵抗Ｒｉに係る入力値、及び電流計２６からフィードバックされる負荷電流Ｉｚに係る入力値を乗算して降下電圧出力部２３に出力する。
【００４６】
ＬＰＦ２９は、ノイズ除去用のローパスフィルタであり、開放電圧出力部２２及び内部降下電圧２３と第２負荷Ｚとの間に接続されている。ＬＰＦ２９は、フィードバック演算の繰り返しによる揺らぎを除去するべく実装されており、負荷電流Ｉｚのノイズを緩和する。出力端子３０は、評価対象である機器４に仮想電圧を出力するための端子である。
【００４７】
上述の電気回路に対し、制御部２１は、計測装置１から取得した開放電圧Ｖｏ及び内部抵抗Ｒｉの値を入力して仮想電圧を再現出力させる。ここで、仮想電圧をＶｉで表すと、次の式（６）が成り立つ。
Ｖｉ＝Ｖｏ−Ｒｉ・Ｉｚ  …  （６）
【００４８】
式（６）の仮想電圧Ｖｉの出力を、図６に示す電気回路によって実現する。具体的には、電圧出力装置２は、開放電圧出力部２２に計測値を入力して開放電圧Ｖｏを出力させる。また、電圧出力装置２は、計測装置１から取得した内部抵抗Ｒｉの計測値と、電流計２６からフィードバックされる負荷電流Ｉｚの実測値とを乗算器２８により乗算し、内部抵抗Ｒｉによる電源３の内部降下電圧Ｒｉ・Ｉｚを算出する。乗算値は降下電圧出力部２３に入力され、降下電圧出力部２３は内部電圧降下分の電圧を出力する。図６に示すように、降下電圧出力部２３と開放電圧出力部２２との極性が逆になるように接続されているため、開放電圧出力部２２及び降下電圧出力部２３は全体として仮想電圧Ｖｉを出力する。
【００４９】
出力された仮想電圧Ｖｉは、オペアンプ２５で増幅され、第２負荷Ｚに印加される。第２負荷Ｚに仮想電圧Ｖｉが印加されることで、負荷電流Ｉｚが通流する。電流計２６は負荷電流Ｉｚを検知し、乗算器２８に検知した負荷電流Ｉｚをフィードバックする。これにより、実際の電源３を第２負荷Ｚに接続した場合の降下電圧Ｒｉ・Ｉｚが再現（算出）される。
【００５０】
また、電気回路から第２負荷Ｚに通流する負荷電流Ｉｚは、ＬＰＦ２９によりノイズが除去された上で出力される。これにより、フィードバック演算の繰り返しによる仮想電圧Ｖｉの揺らぎが緩和され、電源３の再現性がより高まる。
【００５１】
制御部２１は、各計測時に計測装置１で計測された開放電圧Ｖｏ及び内部抵抗Ｒｉを回路側に入力し、仮想電圧Ｖｉの再現出力を行わせる。この場合に制御部２１は、単純に各計測時点の計測データを時系列通りに入力してもよいが、日照時間、照度、蓄電残量等の条件値に応じた順序で入力すると好適である。例えば制御部２１は、計測装置１から順次送信される内部抵抗Ｒｉ、開放電圧Ｖｏ、及び日照時間を、互いに対応付けて一時記憶領域（不図示）に保存しておく。一時記憶領域は、制御基板である制御部２１に設けられたバッファ等である。制御部２１は、計測装置１から順次送信される各計測時点のデータを一時記憶領域に蓄積しておく。
【００５２】
制御部２１は、蓄積されたデータを、条件値に応じた配列でソートする。すなわち制御部２１は、図６下側に概念的に示すように、時系列の計測データを、日照時間に応じた計測データに並べ直す。そして制御部２１は、日照時間を基準とした順序で開放電圧Ｖｏ及び内部抵抗Ｒｉを入力していく。例えば制御部２１は、所定のサンプリング時間Δｔだけ開放電圧Ｖｏ及び内部抵抗Ｒｉに係る実測値を開放電圧出力部２２及び降下電圧出力部２３に入力し、サンプリング時間Δｔが経過後に次の計測データを読み出して入力を行う。
【００５３】
このように、電圧出力装置２は計測時点に係る時系列ではなく、各計測時の発電条件の条件値に係る順序で計測データを入力する。一次電池、二次電池等の電源では、内部抵抗Ｒｉ及び開放電圧Ｖｏが連続的に経年劣化するため、時系列の計測データを用いても適切に評価することができる。しかし、太陽電池、燃料電池等の電源は、発電条件に応じて内部抵抗Ｒｉ及び開放電圧Ｖｏが不連続で変化するため、時系列の計測データを用いると適切に評価が行えない虞がある。そこで本実施の形態では、計測データを日照時間等の条件値に応じて配列し直し、配列された各データを順次用いて再現実験を行う。これにより、発電特性に係る特性値が逐次変化する電源についても、適切に再現、評価を行うことができる。
【００５４】
図７は、太陽電池に係る計測処理の処理手順の一例を示すフローチャートである。入力端子１３に太陽電池が接続されている場合、計測装置１の制御部１１は、以下の処理を実行する。なお、計測装置１のスイッチＳＷはオフ状態に設定されているものとして説明する。
制御部１１は、電源３の発電条件に係る条件値を条件計測部１８により計測する（ステップＳ１１）。条件値は、例えば日照時間、照度、蓄電残量等である。制御部１１は、スイッチＳＷをオン状態に切り替え、放電を開始する（ステップＳ１２）。制御部１１は、放電開始直後の入力端子１３間の端子電圧Ｖ２−Ｖ１、すなわち電源３の開放電圧Ｖｏを計測する（ステップＳ１３）。
【００５５】
制御部１１はオペアンプ１４を制御し、負荷電流Ｉの値を所定の電流値Ｉｏに設定する（ステップＳ１４）。制御部１１は、電源３の端子電圧Ｖ２−Ｖ１、負荷Ｒにおける降下電圧Ｖ２−Ｖ３を計測する（ステップＳ１５）。制御部１１は、計測した端子電圧Ｖ２−Ｖ１、降下電圧Ｖ２−Ｖ３に基づき、電力３の発電電力Ｐを算出する（ステップＳ１６）。
【００５６】
制御部１１は、ステップＳ１６で今回算出した電力Ｐが、前回算出した電力Ｐよりも大きいか否かを判定する（ステップＳ１７）。今回算出した電力Ｐの方が大きいと判定した場合（Ｓ１７：ＹＥＳ）、制御部１１は、負荷電流Ｉに所定値ΔＩを加算し（ステップＳ１８）、処理をステップＳ１５に戻す。制御部１１はステップＳ１５〜Ｓ１７の処理を繰り返すことで、電力Ｐの最大出力点を追従するＭＰＰＴ処理を行う。
【００５７】
今回算出した電力Ｐの方が小さいと判定した場合（Ｓ１７：ＮＯ）、制御部１１は、前回算出した電力Ｐが最大電力Ｐｍであると判定し、開放電圧Ｖｏと、最大電力Ｐｍを計測時の負荷電流Ｉｍとに基づき、電源３の内部抵抗Ｒｉを算出する（ステップＳ１９）。具体的にはすでに述べたように、最大出力点において負荷Ｒと内部抵抗Ｒｉとの消費電力は等しく、負荷Ｒと内部抵抗Ｒｉとは等価であると仮定できるため、制御部１１は、式（４）から内部抵抗Ｒｉを算出する。制御部１１は、電力３の特性値である開放電圧Ｖｏ及び内部抵抗Ｒｉ、並びに電力３の発電条件を示す条件値等の各種計測データを電源装置３に送信し（ステップＳ２０）、一連の処理を終了する。
【００５８】
図８は、燃料電池に係る計測処理の処理手順の一例を示すフローチャートである。入力端子１３に太陽電池が接続されている場合、計測装置１の制御部１１は、以下の処理を実行する。
制御部１１は、電源３の発電条件に係る条件値を計測する（ステップＳ４１）。制御部１１は、スイッチＳＷをオン状態に切り替え、放電を開始する（ステップＳ４２）。制御部１１は、電源３の開放電圧Ｖｏを計測する（ステップＳ４３）。
【００５９】
制御部１１はオペアンプ１４を制御し、負荷電流Ｉを電源３の最大許容電流Ｉｍａに設定する（ステップＳ４４）。制御部１１は、最大許容電流Ｉｍａを通流させた場合の端子電圧Ｖ２−Ｖ１、降下電圧Ｖ２−Ｖ３を計測する（ステップＳ４５）。制御部１１は、ステップＳ４３で計測した開放電圧Ｖｏ、ステップＳ４５で計測した端子電圧Ｖ２−Ｖ１、降下電圧Ｖ２−Ｖ３に基づき、電源３の内部抵抗Ｒｉを算出する（ステップＳ４６）。制御部１１は、電源３の開放電圧Ｖｏ及び内部抵抗Ｒｉ、発電条件に係る条件値等の各種計測データを電圧出力装置２に送信し（ステップＳ４７）、一連の処理を終了する。
【００６０】
図９は、電圧出力装置２が行う電力再現処理の処理手順の一例を示すフローチャートである。図９に基づき、電圧出力装置２が行う電力再現処理の処理内容について説明する。
電圧出力装置２の制御部２１は、通信部３１を介して、計測装置１から計測データを取得する（ステップＳ６１）。制御部２１は、取得した計測データを一時記憶領域に一時記憶する（ステップＳ６２）。
【００６１】
制御部２１は、一時的に記憶された計測データを、条件値に応じた配列でソートする（ステップＳ６３）。上述の如く、条件値は例えば日照時間、照度、蓄電残量等であり、制御部２１は、これらの数値に応じて開放電圧Ｖｏ及び内部抵抗Ｒｉに係る計測データを配列する。制御部２１は、先頭に配列された計測データを読み出す（ステップＳ６４）。
【００６２】
制御部２１は、機器４に通流している負荷電流Ｉｚの入力を受け付ける（ステップＳ６５）。すなわち制御部２１は、負荷電流Ｉｚのフィードバックを受け付ける。制御部２１は、ステップＳ６４、又は後述するステップＳ７０で読み出した計測データに係る内部抵抗Ｒｉと、ステップＳ６５で入力された負荷電流Ｉｚとを乗算し、内部抵抗Ｒｉによる内部降下電圧を演算する（ステップＳ６６）。制御部２１は、計算した内部降下電圧を開放電圧Ｖｏから減算することで、電圧３が出力する仮想電圧Ｖｉを再現（算出）し、第２負荷Ｚに出力する（ステップＳ６７）。
【００６３】
制御部２１は、サンプリングのための所定のサンプリング時間Δｔが経過したか否かを判定する（ステップＳ６８）。サンプリング時間Δｔが経過していないと判定した場合（Ｓ６８：ＮＯ）、制御部２１は処理を待機する。サンプリング時間Δｔが経過したと判定した場合（Ｓ６８：ＹＥＳ）、制御部２１は、全ての計測データについて仮想電圧Ｖｉの出力が完了したか否かを判定する（ステップＳ６９）。完了していないと判定した場合（Ｓ６９：ＮＯ）、制御部２１は、ステップＳ６３で配列された計測データのうち、現在のデータに続く次のデータを読み出し（ステップＳ７０）、処理をステップＳ６５に戻す。全ての計測データについて出力処理が完了したと判定した場合（Ｓ６９：ＹＥＳ）、制御部２１は一連の処理を終了する。
【００６４】
以上より、本実施の形態１によれば、電源３の評価を柔軟に行うことができる。特に本実施の形態では、電源３に係る発電拠点と機器４に係る評価拠点とを遠隔拠点とすることができ、電力効率の評価実験のためのコストの削減を図ることができる。
【００６５】
また、本実施の形態１によれば、開放電圧Ｖｏ、内部抵抗Ｒｉ等の特性値が発電条件に応じて変化する太陽電池、燃料電池等についても電源評価を行うことができる。
【００６６】
また、本実施の形態１によれば、計測装置１に係る測定回路の設計変更を行わずとも、太陽電池及び燃料電池双方の電源評価を行うことができる。
【００６７】
また、本実施の形態１によれば、発電条件に係る条件値を併せて計測し、電圧出力装置２に送信することで、発電条件も含めた評価が可能となる。
【００６８】
また、本実施の形態１によれば、発電条件の条件値に応じた順序で特性値をソートし、順次仮想電圧Ｖｉを再現して出力することで、太陽電池又は燃料電池について適切な評価が可能となる。
【００６９】
また、本実施の形態１によれば、機器４に流れる負荷電流Ｉｚに基づくフィードバック演算により内部抵抗Ｒｉの降下電圧を算出することで、電池３の仮想電圧Ｖｉを精度良く再現することができる。
【００７０】
また、本実施の形態１によれば、ＬＰＦ２９を実装することで、仮想電圧Ｖｉの揺らぎを緩和し、より再現性を高めることができる。
【００７１】
（実施の形態２）
実施の形態１では、図１に示したように、計測装置１と電圧出力装置２とが１対１の関係であった。しかし、計測装置１による電源３の特性値の計測と、電圧出力装置２による仮想電圧Ｖｉの再現出力は別々に行われるため、計測装置１と電圧出力装置２とは夫々複数であってもよい。図１０は、実施の形態２に係る計測システムの構成例を示す模式図である。図１０に示すように、複数の発電拠点Ｘ１、Ｘ２、Ｘ３…に各電源３が設置されており、各電源３に計測装置１が接続されている。また、複数の評価拠点Ｙ１、Ｙ２、Ｙ３…に各機器４が設置されており、各機器４には電圧出力装置２が接続される。各計測装置１は、各電圧出力装置２、２、２…に、電源３に係る計測データを送信する。各電圧出力装置２は、各計測装置１、１、１…から計測データを取得し、仮想電圧Ｖｉの再現処理を行う。
【００７２】
以上より、本実施の形態２によれば、発電拠点Ｘ及び評価拠点Ｙの位置を広く分散させ、より多様で効率的な電源評価が可能となる。
【００７３】
（実施の形態３）
本実施の形態では、計測装置１における計測データをデータベース化し、過去の計測データを用いて電源評価を行うことを可能とする形態について説明する。
図１１は、実施の形態３に係る計測システムの構成例を示す模式図である。本実施の形態に係る計測システムは、情報処理装置５を有する。情報処理装置５は、種々の情報の送受信、情報処理を行う装置であり、例えばパーソナルコンピュータ、サーバ等である。本実施の形態において情報処理装置５はパーソナルコンピュータであるものとし、簡潔のため端末５と読み替える。
【００７４】
例えば端末５は、評価拠点Ｙにおいて実験を行うユーザが操作する端末装置である。端末５は、各発電拠点Ｘに設置の電源３に関し、計測装置１、１、１…から計測データを取得してデータベースに記憶する記憶装置として機能する。端末５は、ユーザによる操作に従って各電源３に係る計測データを電圧出力装置２に送信し、仮想電圧Ｖｉに係る再現出力処理を行わせる。電圧出力装置２は、端末５から計測データを取得し、仮想電圧Ｖｉを再現して機器４に出力する。
【００７５】
図１２は、端末５の構成例を示すブロック図である。端末５は、制御部５１、記憶部５２、通信部５３、表示部５４、入力部５５、読取部５６を有する。
制御部５１はＣＰＵ（Central Processing Unit）、ＭＰＵ（Micro-Processing Unit）等の演算処理装置を含み、記憶部５２に記憶されたプログラムＰ３を読み出して実行することにより、端末５に係る種々の情報処理、制御処理等を行う。なお、図１２では制御部５１を単一のプロセッサとして図示してあるが、制御部５１はマルチプロセッサであってもよい。記憶部５２はＲＡＭ（Random Access Memory）、ＲＯＭ（Read Only Memory）等のメモリ素子を含み、制御部５１が処理を実行するために必要なプログラムＰ３又はデータ等を記憶している。また、記憶部５２は、制御部１１が演算処理を実行するために必要なデータを一時的に記憶する。通信部５３は通信に関する処理を行うための処理回路等を含み、ネットワークＮを介して情報の送受信を行う。表示部５４は、例えば液晶ディスプレイ等であり、制御部５１の指令に従って画像を表示する。入力部５５は、例えばキーボード、マウス等であり、ユーザによる操作入力を受け付ける。
【００７６】
読取部５６はディスクドライブ、メモリーカードスロット等であり、ＣＤ（Compact Disk）−ＲＯＭ、ＤＶＤ（Digital Versatile Disc）−ＲＯＭ、メモリーカード、又はＵＳＢ（Universal Serial Bus）等の可搬型記憶媒体５ａを読み取る。制御部５１はプログラムＰを可搬型記憶媒体５ａより読み取り、記憶部５２に記憶しても良い。また、制御部５１はネットワークＮを介して他のコンピュータからプログラムＰをダウンロードし、記憶部５２に記憶しても良い。さらにまた制御部５１は、半導体メモリ５ｂからプログラムＰを読み込んでも良い。
【００７７】
また、記憶部５２は、計測装置１で計測されたデータを格納する計測ＤＢ５２１を記憶している。図１３は、計測ＤＢ５２１のレコードレイアウトの一例を示す説明図である。計測ＤＢ５２１は、電源列、計測地点列、計測日時列、開放電圧列、内部抵抗列、日照時間列を含む。電源列は、各発電拠点Ｘの電源３を識別するための情報が記憶されている。計測地点列は、各発電拠点Ｘの位置情報を記憶している。計測日時列は、計測装置１が計測を行った日時を記憶している。開放電圧列及び内部抵抗列は、各計測時点において計測された電源３の開放電圧Ｖｏ及び内部抵抗Ｒｉを記憶している。日照時間列は、計測装置１により計測された各計測日の日照時間を記憶している。
【００７８】
図１４は、端末５が実行する処理手順の一例を示すフローチャートである。図１４に基づき、端末５が実行する処理内容について説明する。
端末５の制御部５１は、各計測装置１、１、１…から、電源３の開放電圧Ｖｏ及び内部抵抗Ｒｉ、並びに電源３の発電条件に係る条件値（照度時間）を含む計測データを順次取得する（ステップＳ３０１）。制御部５１は、取得した計測データを計測ＤＢ５２１に記憶する（ステップＳ３０２）。制御部５１は、計測ＤＢ５２１に記憶された計測データのうち、いずれの計測データを元に評価実験を行うかについて、ユーザによる指定入力を受け付ける（ステップＳ３０３）。具体的には、例えば制御部５１は、発電拠点Ｘ１、Ｘ２、Ｘ３…のいずれの発電拠点Ｘに設置の電源３の計測データを用いるか、何時の計測時点の計測データを用いるかについて、指定を受け付ける。制御部５１は、指定された計測データを計測ＤＢ５２１から読み出し、条件値（日照時間）に応じて配列するように開放電圧Ｖｏ、内部抵抗Ｒｉの計測データをソートする（ステップＳ３０４）。制御部５１は、ソートされた順序で開放電圧Ｖｏ、内部抵抗Ｒｉに係る実測値を電圧出力装置２に順次入力（送信）し（ステップＳ３０５）、一連の処理を終了する。
【００７９】
なお、図１１では情報処理装置（端末）５が評価拠点Ｙに設置されているものとして図示したが、本実施の形態はこれに限定されるものではない。例えば情報処理装置５がサーバ装置である場合、情報処理装置５は評価拠点Ｙ以外の場所に設置されていてもよい。すなわち情報処理装置５は、計測装置１から計測データを取得して計測ＤＢ５２１に記憶し、電力装置２に配信可能であればよい。
【００８０】
以上より、本実施の形態３によれば、計測装置１における計測データがデータベース化されるため、例えば過去の発電状況を再現して評価実験を行うことができる。
【００８１】
（実施の形態４）
図１５は、上述した形態の計測装置１及び電圧出力装置２の動作を示す機能ブロック図である。制御部１１がプログラムＰ１を実行することにより、計測装置１は以下のように動作する。第１計測部１５１は、入力端子に入力された電源の端子電圧を計測する。第２計測部１５２は、前記入力端子を介して前記電源から電力の供給を受ける負荷における降下電圧を計測する。電流制御部１５３は、該負荷に通流する負荷電流を制御する。特定部１５４は、前記第１計測部及び第２計測部が計測した前記端子電圧及び降下電圧に基づき、前記電源の特性値を特定する。送信部１５５は、特定した前記特性値を送信する。
【００８２】
また、制御部２１がプログラムＰ２を実行することにより、電圧出力装置２は以下のように動作する。取得部１５６は、前記特性値を取得する。出力部１５７は、取得した前記特性値に対応する電圧を第２負荷に出力する。
【００８３】
図１６は、計測装置１のハードウェア群を示す模式図である。読取部１９はディスクドライブ、メモリーカードスロット等であり、ＣＤ（Compact Disk）−ＲＯＭ、ＤＶＤ（Digital Versatile Disc）−ＲＯＭ、メモリーカード、又はＵＳＢ（Universal Serial Bus）等の可搬型記憶媒体１ａを読み取る。制御部１１はプログラムＰ１を可搬型記憶媒体１ａより読み取り、ＲＡＭ１２に記憶しても良い。また、制御部１１はネットワークＮを介して他のコンピュータからプログラムＰ１をダウンロードし、ＲＡＭ１２に記憶しても良い。さらにまた制御部１１は、半導体メモリ１ｂからプログラムＰ１を読み込んでも良い。
【００８４】
本実施の形態４は以上の如きであり、その他は実施の形態１から３と同様であるので、対応する部分には同一の符号を付してその詳細な説明を省略する。
【００８５】
以上の実施の形態１から実施の形態４を含む実施形態に関し、さらに以下の付記を開示する。
【００８６】
（付記１）
電源から供給される電力に係る電気量を計測する計測装置と、該計測装置で計測されたデータを用いて電圧を出力する電圧出力装置とを有する計測システムであって、
前記計測装置は、
前記電源に接続される入力端子と、
該入力端子に入力された前記電源の端子電圧を計測する第１計測部と、
前記入力端子を介して前記電源から電力の供給を受ける負荷と、
該負荷における降下電圧を計測する第２計測部と、
前記第１計測部及び第２計測部が計測した前記端子電圧及び降下電圧に基づき、前記電源の特性値を特定する特定部と、
特定した前記特性値を送信する送信部と
を備え、
前記電圧出力装置は、
前記特性値を取得する取得部と、
取得した前記特性値に対応する電圧を第２負荷に出力する出力部と
を備える計測システム。
（付記２）
前記電源は、太陽電池又は燃料電池であり、
前記計測装置は、前記負荷に通流する負荷電流を制御する電流制御部を備え、
前記入力端子に前記太陽電池が接続されている場合、前記電流制御部は、前記負荷電流を制御することで、前記太陽電池の最大出力点を追従する追従制御を行い、
前記特定部は、前記最大出力点における前記端子電圧及び降下電圧に基づき、前記特性値を算出し、
前記入力端子に前記燃料電池が接続されている場合、前記電流制御部は、前記負荷電流を前記燃料電池の最大許容電流に設定し、
前記特定部は、前記負荷電流が前記最大許容電流である場合の前記端子電圧及び降下電圧に基づき、前記特性値を算出する
付記１に記載の計測システム。
（付記３）
前記計測装置は、前記電源の発電条件に係る条件値を計測する条件計測部を備え、
前記送信部は、前記端子電圧及び降下電圧の計測時における前記条件値を、該計測時の前記端子電圧及び降下電圧から特定された前記特性値と共に送信する
付記２に記載の計測システム。
（付記４）
前記取得部は、前記特性値及び条件値を順次取得し、
前記出力部は、前記条件値に応じた順序で前記特性値を参照し、前記第２負荷に電圧を順次出力する
付記３に記載の計測システム。
（付記５）
前記特性値は、前記電源の開放電圧及び内部抵抗である
付記１〜付記４のいずれかに記載の計測システム。
（付記６）
前記電圧出力装置は、
前記第２負荷に通流する第２負荷電流を検知する検知部と、
該検知部が検知した前記第２負荷電流と、前記取得部が取得した前記内部抵抗との乗算値を算出する算出部と
を備え、
前記出力部は、前記開放電圧から前記乗算値を減算した電圧を前記第２負荷に出力する
付記５に記載の計測システム。
（付記７）
前記電圧出力装置は、前記出力部と前記第２負荷との間にローパスフィルタを備える
付記６に記載の計測システム。
（付記８）
前記送信部は、複数の前記電圧出力装置に対して前記特性値を配信する
付記１〜付記７のいずれかに記載の計測システム。
（付記９）
前記取得部は、複数の前記計測装置から前記特性値を取得する
付記１〜付記８のいずれかに記載の計測システム。
（付記１０）
前記送信部から送信される前記特性値をデータベースに記憶する記憶装置を備え、
前記取得部は、前記記憶装置から前記特性値を取得する
付記１〜付記９のいずれかに記載の計測システム。
（付記１１）
電源が接続される入力端子、及び該入力端子を介して前記電源から電力の供給を受ける負荷を備え、前記電源から前記負荷に供給される電力に係る電気量を計測する計測装置と、該計測装置で計測されたデータを用いて電圧を出力する電圧出力装置とを用いた計測方法であって、
前記計測装置は、
前記入力端子に入力された前記電源の端子電圧を計測し、
前記負荷における降下電圧を計測し、
計測した前記端子電圧及び降下電圧に基づき、前記電源の特性値を特定し、
特定した前記特性値を送信し、
前記電圧出力装置は、
前記特性値を取得し、
取得した前記特性値に対応する電圧を第２負荷に出力する
計測方法。
（付記１２）
電源に接続される入力端子と、
該入力端子に入力された前記電源の端子電圧を計測する第１計測部と、
前記入力端子を介して前記電源から電力の供給を受ける負荷と、
前記負荷における降下電圧を計測する第２計測部と、
該負荷に通流する負荷電流を制御する電流制御部と、
前記第１計測部及び第２計測部が計測した前記端子電圧及び降下電圧に基づき、前記電源の特性値を特定する特定部と、
特定した前記特性値を送信する送信部と
を備え、
前記電流制御部は、前記入力端子に接続された前記電源の種類に応じて前記負荷電流を制御する
計測装置。
（付記１３）
電源が接続される入力端子、及び該入力端子を介して前記電源から電力の供給を受ける負荷を備え、前記電源から前記負荷に供給される電力に係る電気量を計測する計測装置に、
前記電源の端子電圧を計測し、
前記負荷における降下電圧を計測し、
計測した前記端子電圧及び降下電圧に基づき、前記電源の特性値を特定し、
特定した前記特性値を送信部により送信する
処理を実行させる計測方法であって、
前記入力端子に接続された前記電源の種類に応じて、前記負荷に通流する負荷電流を制御する
計測方法。
（付記１４）
電源が接続される入力端子、及び該入力端子を介して前記電源から電力の供給を受ける負荷を備え、前記電源から前記負荷に供給される電力に係る電気量を計測する計測装置に、
前記電源の端子電圧を計測し、
前記負荷における降下電圧を計測し、
計測した前記端子電圧及び降下電圧に基づき、前記電源の特性値を特定し、
特定した前記特性値を送信部により送信する
処理を実行させるプログラムであって、
前記入力端子に接続された前記電源の種類に応じて、前記負荷に通流する負荷電流を制御する
プログラム。
（付記１５）
電源の端子電圧を計測する第１計測部、前記電源から電力の供給を受ける負荷における降下電圧を計測する第２計測部、前記端子電圧及び降下電圧に基づいて前記電源の特性値を特定する特定部、及び前記端子電圧及び降下電圧の計測時における前記電源の発電条件に係る条件値を計測する条件計測部を備えた計測装置と、前記特性値に対応する電圧を第２負荷に出力する電圧出力装置と通信を行うコンピュータに、
各計測時における前記特性値及び前記条件値を前記計測装置から順次取得し、
取得した各計測時の前記特性値及び条件値を対応付けてデータベースに記憶し、
前記データベースに記憶した前記特性値を、対応する前記条件値に応じた順序で前記電圧出力装置に送信する
処理を実行させることを特徴とするプログラム。
【００８７】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８８】
１  計測装置
２  電圧出力装置
３  電源
４  機器（第２負荷）
５  端末（情報処理装置）
【図１】
2018147325.tif 000003
【図２】
2018147325.tif 000004
【図３】
2018147325.tif 000005
【図４】
2018147325.tif 000006
【図５】
2018147325.tif 000007
【図６】
2018147325.tif 000008
【図７】
2018147325.tif 000009
【図８】
2018147325.tif 000010
【図９】
2018147325.tif 000011
【図１０】
2018147325.tif 000012
【図１１】
2018147325.tif 000013
【図１２】
2018147325.tif 000014
【図１３】
2018147325.tif 000015
【図１４】
2018147325.tif 000016
【図１５】
2018147325.tif 000017
【図１６】
2018147325.tif 000018